(57)【要約】【課題】  本発明は、吸水並びに脱臭性の機能を備えた生理用ナプキン・おむつ或いは保健用マスク等の生理用品に関するものである。【解決手段】  外シート２と内シート３及び吸水シート４によって形成される生理用品１の前記吸水シート４面上に炭素系微粉末からなる袋詰め多孔性物質体５を着脱可能に取り付けてなることを特徴とする吸水並びに脱臭性の機能を備えた生理用品であって、前記袋詰め多孔性物質体５は、ポリプロピレン等の通気性を有する内袋体と外袋体との２重袋構成となっていることを特徴とする。【選択図】図１
2007325624.tif 000002
【特許請求の範囲】
【請求項１】
外シートと内シート及び吸水シートによって形成される生理用品の前記吸水シート面上に炭素系微粉末からなる袋詰め多孔性物質体を着脱可能に取り付けてなることを特徴とする吸水並びに脱臭性の機能を備えた生理用品であって、前記袋詰め多孔性物質体は、ポリプロピレン等の通気性を有する内袋体と外袋体との２重袋構成となっていることを特徴とする吸水並びに脱臭性の機能を備えた生理用品。
【請求項２】
前記生理用品が生理用ナプキンであることを特徴とする請求項１記載の吸水並びに脱臭性の機能を備えた生理用品。
【請求項３】
前記生理用品がおむつであることを特徴とする請求項１記載の吸水並びに脱臭性の機能を備えた生理用品。
【請求項４】
前記生理用品が保健用マスクであることを特徴とする請求項１記載の吸水並びに脱臭性の機能を備えた生理用品。
【請求項５】
前記袋詰め多孔性物質体は、ポリプロピレン等の通気性を有する袋体と、この袋体内に充填された所望量の炭素系微粉末などのナノセラミックスカーボンからなる多孔性物質とから構成され、前記多孔性物質であるナノセラミックスカーボンは、硫酸亜鉛によりコーティング処理したしたものであることを特徴とする請求項１〜４のいずれか１つに記載の吸水並びに脱臭性の機能を備えた生理用品。
【請求項６】
前記内袋体の収納部は、ミシン縫いなどによる収納分割部が形成されていることを特徴とする請求項１〜５のいずれか１つに記載の吸水並びに脱臭性の機能を備えた生理用品。
【発明の詳細な説明】
【技術分野】
【０００１】
本発明は、吸水並びに脱臭性の機能を備えた生理用ナプキン・おむつ或いは保健用マスク等の生理用品に関するものである。
【背景技術】
【０００２】
現在市販されている生理用ナプキン・おむつ或いは保健用マスク等の生理用品は、使用時及び使用後における血液臭やアンモニア臭などの異臭が問題となっており、これを解決するために吸水剤として活性炭や香料を使用したもの、或いは天然産の蒟蒻芋の乾燥粉末を水分の吸水剤として用いるもの（特開２００１−８７６４８号）などが知られている。
【特許文献１】特開２００１−８７６４８号
【発明の開示】
【発明が解決しようとする課題】
【０００３】
本発明は、従来は吸湿剤或いは脱臭剤として石油化学物質を用いて吸水・脱水作用を行なっていたのを、廃棄物公害のない炭素系微粉末を利用して生理用ナプキンなどの使用時における吸収・脱臭を行うようにした生理用品を提供しようとするものである。
【０００４】
本発明の第２の目的は、廃棄物公害のない炭素系微粉末を利用しておむつにおけるアンモニア臭等の水分の吸収及び脱臭を行うようにした生理用品を提供しようとするものである。
【０００５】
本発明の第３の目的は、廃棄物公害のない炭素系微粉末を利用して鼻マスクに装着して空気浄化作用効果を持たせるようにした生理用品を提供しようとするものである。
【課題を解決するための手段】
【０００６】
本発明における請求項１の吸水並びに脱臭性の機能を備えた生理用品は、外シートと内シートによって形成される生理用品の空隙部に袋詰め多孔性物質体を設置してなることを特徴とする。
【０００７】
請求項２の発明は、請求項１記載の吸水並びに脱臭性の機能を備えた生理用品において、前記生理用品が生理用ナプキンであることを特徴とする。
請求項３の発明は、請求項１記載の吸水並びに脱臭性の機能を備えた生理用品において、前記生理用品がおむつであることを特徴とする。
請求項４の発明は、請求項１記載の吸水並びに脱臭性の機能を備えた生理用品において、前記生理用品が保健用マスクであることを特徴とする。
【０００８】
請求項５の発明は、請求項１〜４のいずれか１つに記載の吸水並びに脱臭性の機能を備えた生理用において、前記袋詰め多孔性物質体は、ポリプロピレン等の通気性を有する袋体と、この袋体内に充填された所望量の炭素系微粉末などのナノセラミックスカーボンからなる多孔性物質とから構成され、前記多孔性物質であるナノセラミックスカーボンは、硫酸亜鉛によりコーティング処理したしたものであることを特徴とする。
【０００９】
請求項６の発明は、請求項１〜５のいずれか１つに記載の吸水並びに脱臭性の機能を備えた生理用において、前記内袋体の収納部は、ミシン縫いなどによる収納分割部が形成されていることを特徴とする。
【発明の効果】
【００１０】
本発明の吸水並びに脱臭性の機能を備えた生理用品は、生理用品の空隙部に袋詰め多孔性物質体を設置してなる構成としたので、生理用品が生理用ナプキンである場合は、体内から排出される血液或いは血液臭の吸水・消臭を行う。
また、体内から排出される血液の量に個人差がある場合であっても、袋詰め多孔性物質体が設置されているため漏れを完全に吸収できる能力がある。
更に、生理ナプキンを長時間皮膚に密着する状態となっている場合は、蒸れなどによって皮膚炎を起こす恐れがあるが、袋詰め多孔性物質体より放出される遠赤外線効果によるマイナスイオンによって皮膚炎が防止される効果がある。
【００１１】
更にまた、生理用品がおしめである場合は、体内から排出される汚物・小水の臭いと水分の吸水を行う。
【００１２】
更にまた、生理用品が保健用マスクである場合は、袋詰め多孔性物質体より放出される遠赤外線効果によるマイナスイオンにより、風邪の菌が死滅するし、花粉の粒子を包み込み、体内に入るのを防止する機能を有する。
【発明を実施するための最良の形態】
【００１３】
以下、本発明における吸水並びに脱臭性の機能を備えた生理用品について、発明を実施するための最良の形態について実施例を基に説明する。
【実施例１】
【００１４】
図１は、本発明に係る吸水並びに脱臭性の機能を備えた生理用品の第１実施例を示す生理用ナプキンの場合の全体斜視図である。図２は図１に用いられる袋詰め多孔性物質体の一部切欠き断面図である。
【００１５】
図中１は生理用ナプキンを示し、生理用ナプキン１はポリプロピレン等の通気性を有する不織布によって折りたたまれ或いは積層構成された外衣シート２と内衣シート３とからなり、内衣シート３の上面にはパット状の吸水シートが取り付け形成され、前記外衣シート２と内衣シート３が個別のシートである場合は、外周囲は縫製或いは圧着接合されるようになっており、前記内衣シート３は中央部分に長手方向に切欠き部３ａを有し、この切欠き部を介して前記吸水シート４が取り付けられている。そして、この吸水シート４の上面に袋詰め多孔性物質体５が両面テープ等により装着され、脱臭機能及び吸水機能を発揮できるようになっている。
【００１６】
このような袋詰め多孔性物質体４は、例えば、外形形状が長さ１００mm×幅３５mmの大きさに成形され、ポリプロピレン等の通気性を有する外袋体６と、この外袋体６内に前記ポリプロピレン等の通気性を有する外袋体６と同材質により形成した内袋体７に充填された所望量の炭素系微粉末などのナノセラミックスカーボンからなる多孔性物質８とから構成されている。
なお、前記内袋体７は、収納部の中央長手方向にミシン縫いなどによって２分割形成された収納分割部が形成されたものである。
また、多孔性物質８であるナノセラミックスカーボンは、硫酸亜鉛によりコーティング処理したしたものを用いてもよい。
【００１７】
次に、上記のような袋詰め多孔性物質体５の製造について述べる。
袋詰め多孔性物質体５の製造に際しては、炭素系微粉末８を内袋体７の分割された収納部にそれぞれ充填し、この内袋体７を外袋体６に内装して袋口を閉じて完成する。
前記袋詰め多孔性物質体５は、二重袋構成となっているため、袋体の生地がポリプロピレン等の通気性を有する不織布で構成されたものであって、前記炭素系微粉末８が外部に漏れ飛散することがない。
【００１８】
また、前記袋詰め多孔性物質体５の製造に際しては、以下のように前記炭素系微粉末８にコーティング処理を施した製造方法によってもよいことは勿論である。
【００１９】
前記炭素系微粉末８にコーティング処理を施す場合には、先ず、工業用硫酸亜鉛（白色粉末）５００gを温水２.８リットルに溶解して、コーティング処理液を生成する。
【００２０】
次に、この硫酸亜鉛の水溶液（濃度調整済み）を約５０℃に加温し、この水溶液中に、コーティング処理用の袋に詰めた多孔性物質、すなわちナノセラミックスカーボンを浸漬する。この浸漬に際しては、水溶液の液面を袋詰めしたナノセラミックスカーボンの上面より約１０cm程度に保つ。そして、時々水溶液を静かに攪拌して空気を抜き、かつ温度を設定温度に保持して、約６０分間浸漬する。
【００２１】
次に、ナノセラミックスカーボンをコーティング処理用の袋ごと、硫酸亜鉛の水溶液から引き上げた後、ナノセラミックスカーボンをコーティング処理用の袋から取り出して、２０メッシュ程度の金網上に薄く均一に広げて液切れを行う。しかる後、８０±１０℃の乾燥炉内で４時間程度乾燥してコーティング処理を施した多孔性物質を完成する。コーティング処理を施した多孔性物質を使用するときは、袋詰め作業において炭素系微粉末が飛散することなく極めて容易となる。
【実施例２】
【００２２】
図３は、本発明に係る吸水並びに脱臭性の機能を備えた生理用品の第２実施例を示すおむつの場合の全体斜視図である。図４は図３に用いられる袋詰め多孔性物質体の一部切欠き断面図である。
【００２３】
図中、１０はおむつを示し、おむつ１０はポリプロピレン等の通気性を有する不織布によって構成された外衣シート１１と内衣シート１２とから形成され、前記外衣シート１１と内衣シート１２の外周囲は縫製されており、前記内衣シート１２の中央部分には長手方向に切欠き開口部１３があり、この切欠き開口部１３には吸水シート１４が取り付けられており、この吸水シート１４の上面に袋詰め多孔性物質体１５が装着され、脱臭機能及び吸水機能を発揮できるようになっている。
【００２４】
このような袋詰め多孔性物質体５は、例えば、外形形状が長さ２５０mm×幅６５mmの大きさに成形された前述の実施例１と同様な２重袋体構成と同様であるので、同一部分には同一符号を付してその説明を省略する。
【実施例３】
【００２５】
図５は、本発明に係る吸水並びに脱臭性の機能を備えた生理用品の第３実施例を示す保険マスクの場合の全体斜視図である。図６は図５に用いられる袋詰め多孔性物質体の一部切欠き断面図である。
【００２６】
図中、２０は保健用マスクを示し、保健用マスク２０はポリプロピレン等の通気性を有する不織布によって構成された外衣シート２１と内衣シート２２とから形成され、内部に吸水シート２３ａが配設され、前記外衣シート２１と内衣シート２２と折り曲げ構成によって形成しても良いし、前記外衣シート２１と内衣シート２２を重ね合わせ、その外周囲を圧着或いは縫製などにより接合してもよい。
そして、前記内衣シート２２には中央部分に長手方向に切欠き開口部２３があり、この切欠き開口部２３を介して前記外衣シート２１と前記内衣シート２２空間部２５に装着される吸水シート２３ａを取付け、この吸水シート２３ａの外方面（内面）に袋詰め多孔性物質体５が装着され、脱臭機能及び吸放湿機能を発揮できるようになっている。なお、２６，２６は左右の耳掛け紐である。    
【００２７】
このような袋詰め多孔性物質体５は、例えば、外形形状が長さ５０mm×幅５０mmの大きさに成形された、前述の実施例１と同様な２重袋体構成と同様であるので、同一部分には同一符号を付してその説明を省略する。
【図面の簡単な説明】
【００２８】
【図１】本発明に係る吸水並びに脱臭性の機能を備えた生理用品の第１実施例を示す生理用ナプキンの場合の全体斜視図である。
【図２】図１に用いられる袋詰め多孔性物質体の一部切欠き断面図である。
【図３】本発明に係る吸水並びに脱臭性の機能を備えた生理用品の第２実施例を示すおむつの場合の全体斜視図である。
【図４】図３に用いられる袋詰め多孔性物質体の一部切欠き断面図である。
【図５】本発明に係る吸水並びに脱臭性の機能を備えた生理用品の第３実施例を示す保健用マスクの場合の全体斜視図である。
【図６】図５に用いられる袋詰め多孔性物質体の一部切欠き断面図である。
【図１】
2007325624.tif 000003
【図２】
2007325624.tif 000004
【図３】
2007325624.tif 000005
【図４】
2007325624.tif 000006
【図５】
2007325624.tif 000007
【図６】
2007325624.tif 000008